(57)【要約】【課題】毛髪の立ち上げを容易に行って、的確な整髪を効率よく行うことができる整髪用毛髪立ち上げ櫛を提供する。【解決手段】断面視半円形の第１、２の棒体１３、１５の複数本を平行に整列してそれぞれが第１、２の支持体１４、１６に固定される第１、２のフォーク１１、１２との一対からなり、棒体の水平部どうしが重ね合って断面視円形が形成され、フォークの先端が毛髪に差し込まれた後、支持体に取り付けられる第１、２の取手１７、１８を接近して第１の棒体１３が隣接する第２の棒体１５側に平行移動し、棒体間に挟まれた毛髪を垂直方向に立ち上げ、整髪して、取手を離間させて元に戻す整髪用毛髪立ち上げ櫛１０であって、第２の棒体１５の本数が第１の棒体１３と同数又は１本多く、第１の棒体１３の進行する側に櫛状の凸凹部１９を有し、しかも、毛髪と当接する部分の棒体の先端部に丸みを有する。【選択図】        図１
2004195112.tif 000002
【特許請求の範囲】
【請求項１】
断面視して半円形の第１の棒体の複数本が間隔を設けて平行に整列して第１の支持体に固定される第１のフォークと、断面視して半円形の第２の棒体の複数本が間隔を設けて平行に整列して第２の支持体に固定される第２のフォークとの一対からなり、前記第１と第２の棒体の前記半円形のそれぞれの水平部どうしが重ね合わされることで断面視して円形が形成され、前記第１と第２のフォークの先端が毛髪に差し込まれた後、前記第１と第２の支持体のそれぞれに取り付けられる第１と第２の取手を接近させることで、前記第１の棒体が重ね合わされている前記第２の棒体と隣接する前記第２の棒体側に平行移動し、前記第１と第２の棒体間に挟まれた前記毛髪が実質的に垂直方向に立ち上げられ、前記毛髪が前記第１と第２のフォークの近接位置で鋏等で整髪され、前記第１と第２の取手を離間させることで前記第１の棒体が元の位置に移動する整髪用毛髪立ち上げ櫛であって、
前記第２の棒体の本数が前記第１の棒体の本数と同数、又は１本多く、前記第１の棒体の進行する側の側部に櫛状の凸凹部を有し、しかも、前記第１と第２の棒体間に挟まれた前記毛髪と当接する部分の前記第１と第２の棒体の先端部に丸みを有することを特徴とする整髪用毛髪立ち上げ櫛。
【請求項２】
断面視して半円形の第１の棒体の複数本が間隔を設けて平行に整列して第１の支持体に固定される第１のフォークと、断面視して半円形の第２の棒体の複数本が間隔を設けて平行に整列して第２の支持体に固定される第２のフォークとの一対からなり、前記第１と第２の棒体の前記半円形のそれぞれの水平部どうしが重ね合わされることで断面視して円形が形成され、前記第１と第２のフォークの先端が毛髪に差し込まれた後、前記第１と第２の支持体のそれぞれに取り付けられる第１と第２の取手を接近させることで、前記第１の棒体が重ね合わされている前記第２の棒体と隣接する前記第２の棒体側に平行移動し、前記第１と第２の棒体間に挟まれた前記毛髪が実質的に垂直方向に立ち上げられ、前記毛髪が前記第１と第２のフォークの近接位置で鋏等で整髪され、前記第１と第２の取手を離間させることで前記第１の棒体が元の位置に移動する整髪用毛髪立ち上げ櫛であって、
前記第２の棒体の本数が前記第１の棒体の本数と同数、又は１本多く、前記第１の棒体の進行する側の側部と、前記第２の棒体の前記第１の棒体が進行してくる側の側部に櫛状の凸凹部を有し、しかも、前記第１と第２の棒体間に挟まれた前記毛髪と当接する部分の前記第１と第２の棒体の先端部に丸みを有することを特徴とする整髪用毛髪立ち上げ櫛。
【請求項３】
請求項１又は２記載の整髪用毛髪立ち上げ櫛において、前記第１と第２のフォークを平行に可動させる部分にバネが組み込まれて、前記第１と第２の取手を接近させる時に前記バネが圧縮され、前記第１と第２の取手を離間させる時に前記バネが開放されることで、前記第１と第２の棒体の隙間を調整しながら前記毛髪が挟み込まれて持ち上げられることを特徴とする整髪用毛髪立ち上げ櫛。
【請求項４】
請求項１〜３のいずれか一項記載の整髪用毛髪立ち上げ櫛において、前記第１と第２の棒体が重ね合わされて形成された前記第１と第２のフォークの先端が丸みを有する鋭角体に形成されていることを特徴とする整髪用毛髪立ち上げ櫛。
【請求項５】
請求項１〜４のいずれか一項記載の整髪用毛髪立ち上げ櫛において、前記第１と第２の取手が前記第１と第２の支持体に着脱可能であり、整髪する頭の部位によって使い分けができるように、前記第１と第２のフォークに対して水平、又は角度を有する前記第１と第２の取手を備えていることを特徴とする整髪用毛髪立ち上げ櫛。
【請求項６】
請求項１〜５のいずれか一項記載の整髪用毛髪立ち上げ櫛において、前記第１と第２の取手のそれぞれの把持部がリング状に形成されていることを特徴とする整髪用毛髪立ち上げ櫛。
【発明の詳細な説明】
【０００１】
【発明が属する技術分野】
本発明は、整髪用毛髪立ち上げ櫛に関し、より詳細には、毛髪を鋏やバリカン等でカットして整髪を行うために、毛髪の立ち上げを容易に行うことができる整髪用毛髪立ち上げ櫛に関する。
【０００２】
【従来の技術】
毛髪を鋏やバリカン等でカットして整髪することは、現在盛んに行われている。この整髪は、通常、毛髪が伸びている方向に櫛を通して毛髪をとかしおろすと共に、櫛をねじりながら毛髪を立ち上げ、毛髪が立ち上がったところを鋏等でカットして整髪を行っている。あるいは、毛髪が伸びている方向に逆らって櫛で逆上げしながら押し上げ、毛髪が立ち上がったところを鋏等でカットして整髪を行っている。更には、毛髪が伸びている方向に櫛でとかしおろし、又は、毛髪が伸びている方向に逆らって櫛で逆上げしながら、一旦毛髪を指の間に挟み込み、指の間から飛び出している部分の毛髪を鋏等でカットして整髪を行っている。
【０００３】
毛髪を立ち上げるための櫛には、櫛歯に対になって互いにずらしたフックを設けている調髪用の櫛が提案されている（例えば、特許文献１参照）。また、毛髪を立ち上げるための櫛には、櫛歯を三角形状にして予め整髪剤を付けた毛髪に差込し込んで取り付け、毛髪を一定の高さに立ち上げて固定するための櫛が提案されている（例えば、特許文献２参照）。
【０００４】
【特許文献１】
特表平９−５１０１１８号公報（第１−１１頁、第１図）
【特許文献２】
特開平１０−１３７０２８号公報（第１−８頁、第１−２図）
【０００５】
【発明が解決しようとする課題】
しかしながら、前述したような従来の整髪用毛髪立ち上げ櫛は、次のような問題がある。
（１）毛髪が伸びている方向に櫛を通して毛髪をとかしおろすと共に、櫛をねじりながら毛髪を立ち上げ、毛髪が立ち上がったところを鋏等でカットを行う場合には、毛髪をとかしては櫛にねじりを加える必要があり、腕や手首に対する負荷が大きい。また、櫛でとかした部分のみのカットであるので、１回のカットを行う面積が少なく、櫛で毛髪をとかす回数が多くなり整髪を行うのに労力と時間が掛かる。
【０００６】
（２）毛髪が伸びている方向に逆らって櫛で逆上げしながら押し上げ、毛髪が立ち上がったところを鋏等でカットを行う場合には、櫛で毛髪を立ち上げた部分のみのカットであるので、１回のカットを行う面積が少なく、櫛で毛髪をとかす回数が多くなり整髪を行うのに労力と時間が掛かる。
【０００７】
（３）毛髪が伸びている方向に櫛でとかしおろし、又は、毛髪が伸びている方向に逆らって櫛で逆上げしながら、一旦毛髪を指の間に挟み込み、指の間から飛び出している部分の毛髪を鋏等でカットを行う場合には、櫛でとかした毛髪を指の間に持ち直すので、２つの動作を連続して行う必要があり、また、１回のカットを行う面積が少なく、作業回数が多くなり整髪を行うのに労力と時間が掛かる。
【０００８】
（４）フックを有する櫛を用いて整髪を行う場合には、櫛で毛髪を立ち上げた部分のみのカットであるので、１回のカットを行う面積が少なく、櫛で毛髪をとかす回数が多くなり整髪を行うのに労力と時間が掛かる。
【０００９】
（５）三角形状の櫛歯からなる櫛を用いて毛髪を鋏等でカットを行う場合には、作業に手間が掛かり、整髪を行うのに労力と時間が掛かる。
【００１０】
本発明は、かかる事情に鑑みてなされたものであって、毛髪の立ち上げを容易に行って、的確な整髪を効率よく行うことができる整髪用毛髪立ち上げ櫛を提供することを目的とする。
【００１１】
【課題を解決するための手段】
前記目的に沿う本発明に係る整髪用毛髪立ち上げ櫛は、断面視して半円形の第１の棒体の複数本が間隔を設けて平行に整列して第１の支持体に固定される第１のフォークと、断面視して半円形の第２の棒体の複数本が間隔を設けて平行に整列して第２の支持体に固定される第２のフォークとの一対からなり、第１と第２の棒体の半円形の水平部どうしが重ね合わされることで断面視して円形が形成され、第１と第２のフォークの先端が毛髪に差し込まれた後、第１と第２の支持体のそれぞれに取り付けられる第１と第２の取手を接近させることで、第１の棒体が重ね合わされている第２の棒体と隣接する第２の棒体側に平行移動し、第１と第２の棒体間に挟まれた毛髪が実質的に垂直方向に立ち上げられ、毛髪が第１と第２のフォークの近接位置で鋏等で整髪され、第１と第２の取手を離間させることで第１の棒体が元の位置に移動する整髪用毛髪立ち上げ櫛であって、第２の棒体の本数が第１の棒体の本数と同数、又は１本多く、第１の棒体の進行する側の側部に櫛状の凸凹部を有し、しかも、第１と第２の棒体間に挟まれた毛髪と当接する部分の第１と第２の棒体の先端部に丸みを有する。これにより、第１と第２のフォークを頭のどの方向からも自在に差し込むことができ、第１と第２の取手を近接させることで第１と第２の棒体間の毛髪を容易に効率よく第１と第２の棒体で挟み込み、所望の高さまで持ち上げた位置に維持したままの状態で支えて立ち上げることができ、立ち上がった毛髪を広範囲にわたってカットすることができるので、整髪を効率よく適切に行うことができる。
【００１２】
前記目的に沿う本発明に係る整髪用毛髪立ち上げ櫛は、断面視して半円形の第１の棒体の複数本が間隔を設けて平行に整列して第１の支持体に固定される第１のフォークと、断面視して半円形の第２の棒体の複数本が間隔を設けて平行に整列して第２の支持体に固定される第２のフォークとの一対からなり、第１と第２の棒体の半円形の水平部どうしが重ね合わされることで断面視して円形が形成され、第１と第２のフォークの先端が毛髪に差し込まれた後、第１と第２の支持体のそれぞれに取り付けられる第１と第２の取手を接近させることで、第１の棒体が重ね合わされている第２の棒体と隣接する第２の棒体側に平行移動し、第１と第２の棒体間に挟まれた毛髪が実質的に垂直方向に立ち上げられ、毛髪が第１と第２のフォークの近接位置で鋏等で整髪され、第１と第２の取手を離間させることで第１の棒体が元の位置に移動する整髪用毛髪立ち上げ櫛であって、第２の棒体の本数が第１の棒体の本数と同数、又は１本多く、第１の棒体の進行する側の側部と、第２の棒体の第１の棒体が進行してくる側の側部に櫛状の凸凹部を有し、しかも、第１と第２の棒体間に挟まれた毛髪と当接する部分の第１と第２の棒体の先端部に丸みを有する。これにより、第１と第２のフォークを頭のどの方向からも自在に差し込むことができ、第１と第２の取手を近接させることで、くせ毛等の毛髪であっても容易に効率よく第１と第２の棒体間に挟み込み、所望の高さまで持ち上げた位置に維持したままの状態で支えて立ち上げることができ、立ち上がった毛髪を広範囲にわたってカットすることができるので、整髪を効率よく適切に行うことができる。
【００１３】
ここで、整髪用毛髪立ち上げ櫛は、第１と第２のフォークを平行に可動させる部分にバネが組み込まれて、第１と第２の取手を接近させる時にバネが圧縮され、第１と第２の取手を離間させる時にバネが開放されることで、第１と第２の棒体の隙間を調整しながら毛髪が挟み込まれて持ち上げられるのがよい。これにより、鋏を使うようにして過度の力をかけることなく毛髪を挟み込んだり、力を解放して毛髪を容易に挟み込みから開放させることができるので、整髪を効率よく行うことができる。
【００１４】
また、整髪用毛髪立ち上げ櫛は、第１と第２の棒体が重ね合わされて形成された第１と第２のフォークの先端が丸みを有する鋭角体に形成されているのがよい。これにより、頭皮に沿って安全且つ容易に第１と第２のフォークを毛髪に挿入させることができる。
【００１５】
また、整髪用毛髪立ち上げ櫛は、第１と第２の取手が第１と第２の支持体に着脱可能であり、整髪する頭の部位によって使い分けができるように、第１と第２のフォークに対して水平、又は角度を有する第１と第２の取手を備えているのがよい。これにより、整髪用毛髪立ち上げ櫛を頭の部位によって使い分けることができるので、整髪を効率よく行うことができる。
【００１６】
更に、整髪用毛髪立ち上げ櫛は、第１と第２の取手のそれぞれの把持部がリング状に形成されているのがよい。これにより、あらゆる部位においても安定して第１と第２の取手を把持することができるので、整髪を正確且つ効率よく行うことができる。
【００１７】
【発明の実施の形態】
続いて、添付した図面を参照しつつ、本発明を具体化した実施の形態について説明し、本発明の理解に供する。
ここに、図１（Ａ）〜（Ｃ）はそれぞれ本発明の一実施の形態に係る整髪用毛髪立ち上げ櫛の平面図、正面図、側面図、図２（Ａ）〜（Ｃ）はそれぞれ同整髪用毛髪立ち上げ櫛の第１のフォークの平面図、正面図、側面図、図３（Ａ）〜（Ｃ）はそれぞれ同整髪用毛髪立ち上げ櫛の第２のフォークの平面図、正面図、側面図、図４（Ａ）〜（Ｃ）はそれぞれ本発明の他の実施の形態に係る整髪用毛髪立ち上げ櫛の平面図、正面図、側面図、図５（Ａ）〜（Ｃ）はそれぞれ同整髪用毛髪立ち上げ櫛の第２のフォークの平面図、正面図、側面図である。
【００１８】
図１（Ａ）〜（Ｃ）に示すように、本発明の一実施の形態に係る整髪用毛髪立ち上げ櫛１０は、金属や、樹脂等からなる第１のフォーク１１と第２のフォーク１２との一対からなっている。第１のフォーク１１は、図２（Ａ）〜（Ｃ）に示すように、断面視した時に半円形の第１の棒体１３の複数本が等間隔を設けて平行に、例えば、７本を整列して第１の支持体１４に固定されて形成されている。
第２のフォーク１２は、図３（Ａ）〜（Ｃ）に示すように、断面視した時に半円形の第２の棒体１５の複数本が等間隔を設けて平行に、例えば、８本を整列して第２の支持体１６に固定されて形成されている。この第１のフォーク１１の第１の支持体１４には、第１の棒体１３が固定されている位置と対向する位置に、第１の取手１７が取り付けられている。また、第２のフォーク１２の第２の支持体１６には、第２の棒体１５が固定されている位置と対向する位置に、第２の取手１８が取り付けられている。第１のフォーク１１と第２のフォーク１２は、それぞれの第１の棒体１３と第２の棒体１５が端部に位置する第２の棒体１５の１本を除いて、それぞれの断面視半円形の水平部どうしを重ね合わせると断面視円形が形成されるようになって鋏状に組み立てられている。なお、第１の棒体１３と第２の棒体１５の本数は同数であってもよい。
【００１９】
この整髪用毛髪立ち上げ櫛１０の操作は、先ず、第２のフォーク１２の端部に位置する第２の棒体１５の１本を除いた第１の棒体１３と、第２の棒体１５が重ね合わされた状態の第１のフォーク１１と第２のフォーク１２の先端を、毛髪に差し込し込むように操作する。この操作によって、毛髪は、重ね合わされた第１と第２の棒体１３、１５と、隣接する重ね合わされた第１と第２の棒体１３、１５、及び端部の第２の棒体１５との間に取り込まれる。次いで、第１の取手１７と第２の取手１８に手の指を入れて把持して近接させることで、重ね合わされていた第１の棒体１３と第２の棒体１５とが離されて第１の棒体１３が重ね合わされていた第２の棒体１５と隣接する第２の棒体１５の側へ平行移動するように操作する。この操作によって、毛髪は、第１の棒体１３と第２の棒体１５の間に挟まれて、実質的に垂直方向に立ち上げられる。次いで、第１の棒体１３と第２の棒体１５の間に挟まれた毛髪を第１と第２のフォーク１１、１２を所望の位置まで持ち上げて毛髪の長さを調節し、第１と第２のフォーク１１、１２の上側や、下側の近接位置で、鋏等を用いて毛髪をカットし、整髪を行う。次いで、第１と第２の取手１７、１８を離間させることで、第１と第２のフォーク１１、１２を毛髪から抜き去ると同時に、第１の棒体１３を元の位置の第２の棒体１５の所に移動させる。
【００２０】
整髪用毛髪立ち上げ櫛１０は、頭皮に面する側となる第２の棒体１５の本数を、第１の棒体１３の本数と同数、又は１本多く有している。第２の棒体１５の本数が１本多い場合には、全ての第１と第２の棒体１３、１５間に毛髪を垂直方向に立ち上げることができる。また、整髪用毛髪立ち上げ櫛１０は、第１の棒体１３の平行移動して進行する側の側部に、櫛状の出っ張りと、へこみからなる凸凹部１９を設けている。この櫛状の凸凹部１９を有する第１の棒体１３によって、第１の棒体１３が隣接する第２の棒体１５側へ進行すると共に、毛髪が第１の棒体１３の凹部に適当量ずつ集められて第２の棒体１５に当接すると同時に毛髪を容易に垂直方向に立ち上がらせることができる。更に、整髪用毛髪立ち上げ櫛１０は、第１と第２の棒体１３、１５間に挟まれる毛髪と当接する部分の第１と第２の棒体１３、１５の先端部が丸みを有するように形成されている。この丸みによって、毛髪を傷つけることなく第１の棒体１３の凹部に誘導すると同時に毛髪を傷つけることなく垂直方向に立ち上がらせることができる。
【００２１】
図４（Ａ）〜（Ｃ）に示すように、本発明の他の実施の形態に係る整髪用毛髪立ち上げ櫛１０ａは、金属や、樹脂等からなる第１のフォーク１１と第２のフォーク１２ａとの一対からなっている。第１のフォーク１１は、本発明の一実施の形態に係る整髪用毛髪立ち上げ櫛１０の場合と同様に、断面視した時に半円形の第１の棒体１３の複数本が等間隔を設けて平行に、例えば、７本を整列して第１の支持体１４に固定されて形成されている。第２のフォーク１２ａは、図５（Ａ）〜（Ｃ）に示すように、断面視した時に半円形の１本の第２の棒体１５と、第１の棒体１３が平行移動して進行してくる側の側部に、櫛状の出っ張りとへこみからなる凸凹部１９を有する複数本の第２の棒体１５ａが等間隔を設けて平行に、例えば、８本を整列して第２の支持体１６に固定されて形成されている。この第１のフォーク１１の第１の支持体１４には、第１の棒体１３が固定されている位置と対向する位置に、第１の取手１７が取り付けられている。また、第２のフォーク１２ａの第２の支持体１６には、第２の棒体１５、１５ａが固定されている位置と対向する位置に、第２の取手１８が取り付けられている。第１のフォーク１１と第２のフォーク１２ａは、それぞれの第１の棒体１３と第２の棒体１５、１５ａが端部に位置する第２の棒体１５ａの１本を除いて、それぞれの断面視半円形の水平部どうしを重ね合わせると断面視円形が形成されるように鋏状に組み立てられている。なお、第１の棒体１３と第２の棒体１５、１５ａの本数は同数であってもよい。
【００２２】
この整髪用毛髪立ち上げ櫛１０ａの操作は、第２の棒体１５に凸凹部１９を有さない整髪用毛髪立ち上げ櫛１０の場合と同様であるが、第１の棒体１３と凸凹部１９を有する第２の棒体１５ａの間に挟まれた毛髪は、第１の棒体１３が隣接する第２の棒体１５ａ側へ進行すると共に、毛髪が第１の棒体１３の凹部と第２の棒体１５ａの凹部に適当量ずつ集められる。そして、毛髪は、第１の棒体１３の凹部と第２の棒体１５ａの凹部によって形成される空間部２０に集合されると同時に毛髪を容易に垂直方向に立ち上がらせることができる。第１の棒体１３と第２の棒体１５ａの間に挟まれた、例えば、くせ毛のような毛髪であっても第１と第２のフォーク１１、１２ａを所望の位置まで容易に持ち上げて毛髪の長さを調節し、第１と第２のフォーク１１、１２ａの上側や、下側の近接位置で、鋏等を用いて毛髪をカットし、整髪を行うことができる。この整髪用毛髪立ち上げ櫛１０ａには、整髪用毛髪立ち上げ櫛１０の場合と同様に、第１と第２の棒体１３、１５ａ間に挟まれる毛髪と当接する部分の第１と第２の棒体１３、１５ａの先端部が丸みを有するように形成されている。この丸みによって、毛髪を傷つけることなく第１の棒体１３の凹部と第２の棒体１５ａの凹部に誘導すると同時に毛髪を傷つけることなく垂直方向に立ち上がらせることができる。
【００２３】
この整髪用毛髪立ち上げ櫛１０、１０ａ（以下代表して１０とする）には、第１のフォーク１１と第２のフォーク１２、１２ａ（以下代表して１２とする）を平行に可動させる部分にバネ２１が組み込まれて、第１と第２の取手１７、１８を把持して接近させた時にバネ２１が圧縮し、第１と第２の取手１７、１８を把持していた力を解放することでバネ２１の圧縮力が開放されて第１と第２の取手１７、１８が離間するのがよい。これにより、第１の棒体１３と第２の棒体１５、１５ａ（以下代表して１５とする）間の隙間を調整しながら毛髪を挟みながら持ち上げることができるので、整髪を効率よく迅速に行うことができる。
【００２４】
また、この整髪用毛髪立ち上げ櫛１０には、第１と第２のフォーク１１、１２の先端に、第１と第２の棒体１３、１５が重ね合わされた時の先端が丸みのある砲弾状からなる鋭角体２２を有するのがよい。これにより、第１と第２のフォーク１１、１２を毛髪に差し込む時に、スムースに差し込むことができると同時に、先端が頭皮に接触したとしても頭皮を傷つけることなく毛髪に差し込むことができる。
【００２５】
また、この整髪用毛髪立ち上げ櫛１０には、第１と第２の支持体１４、１６に、例えば、第１と第２の取手１７、１８のそれぞれに接合されているロックピン２３と、第１と第２の支持体１４、１６のそれぞれに設けられているプランジャー２４とで着脱可能な第１と第２の取手１７、１８を有するのがよい。そして、この整髪用毛髪立ち上げ櫛１０には、整髪する頭の部位によって使い分けができるように、第１と第２の取手１７、１８の着脱部がそれぞれ第１と第２のフォーク１１、１２に対して水平からなる第１と第２の取手１７、１８、又は角度を有するように形成された第１と第２の取手１７ａ、１８ａのような形状の変わった複数の取手が備えられているのがよい。これにより、整髪する頭の部位によって最適な第１と第２の取手１７、１８（以下１７ａ、１８ａを含む）を選択でき、それを容易に第１と第２の支持体１４、１６に着脱させて整髪することで、効率よく適切なカットを行うことができる。
【００２６】
更に、この整髪用毛髪立ち上げ櫛１０には、第１と第２の取手１７、１８のそれぞれに手の指が挿入可能な円形や、楕円形、又は矩形等からなるリング状の把持部を有するのがよい。これにより、第１と第２の取手１７、１８を容易に色々な角度に持ち替えて接近や、離間を行うことができるので、効率よく適切なカットを行うことができる。
【００２７】
【発明の効果】
請求項１及びこれに従属する請求項３〜６記載の整髪用毛髪立ち上げ櫛は、断面視して半円形の第１と第２の棒体の複数本が間隔を設けて平行に整列してそれぞれが第１と第２の支持体に固定される第１と第２のフォークの一対からなり、第１と第２の棒体の半円形のそれぞれの水平部どうしが重ね合わされることで断面視して円形が形成され、第１と第２のフォークの先端が毛髪に差し込まれた後、第１と第２の支持体のそれぞれに取り付けられる第１と第２の取手を接近させることで、第１の棒体が重ね合わされている第２の棒体と隣接する第２の棒体側に平行移動し、第１と第２の棒体間に挟まれた毛髪が実質的に垂直方向に立ち上げられ、毛髪が第１と第２のフォークの近接位置で鋏等で整髪され、第１と第２の取手を離間させることで第１の棒体が元の位置に移動する整髪用毛髪立ち上げ櫛であって、第２の棒体の本数が第１の棒体の本数と同数、又は１本多く、第１の棒体の進行する側の側部に櫛状の凸凹部を有し、しかも、第１と第２の棒体間に挟まれた毛髪と当接する部分の第１と第２の棒体の先端部に丸みを有するので、第１と第２のフォークを頭のどの方向からも自在に差し込むことができ、第１と第２の棒体間の毛髪を容易に効率よく第１と第２の棒体で毛髪に傷を付けることなく挟み込み、所望の高さまで持ち上げた位置に維持したままの状態で支えて立ち上げることができ、立ち上がった毛髪を広範囲にわたってカットすることができ、適切な整髪を効率よく行うことができる。
【００２８】
請求項２及びこれに従属する請求項３〜６記載の整髪用毛髪立ち上げ櫛は、断面視して半円形の第１と第２の棒体の複数本が間隔を設けて平行に整列してそれぞれが第１と第２の支持体に固定される第１と第２のフォークの一対からなり、第１と第２の棒体の半円形のそれぞれの水平部どうしが重ね合わされることで断面視して円形が形成され、第１と第２のフォークの先端が毛髪に差し込まれた後、第１と第２の支持体のそれぞれに取り付けられる第１と第２の取手を接近させることで、第１の棒体が重ね合わされている第２の棒体と隣接する第２の棒体側に平行移動し、第１と第２の棒体間に挟まれた毛髪が実質的に垂直方向に立ち上げられ、毛髪が第１と第２のフォークの近接位置で鋏等で整髪され、第１と第２の取手を離間させることで第１の棒体が元の位置に移動する整髪用毛髪立ち上げ櫛であって、第２の棒体の本数が第１の棒体の本数と同数、又は１本多く、第１の棒体の進行する側の側部と、第２の棒体の第１の棒体が進行してくる側の側部に櫛状の凸凹部を有し、しかも、第１と第２の棒体間に挟まれた毛髪と当接する部分の第１と第２の棒体の先端部に丸みを有するので、第１と第２のフォークを頭のどの方向からも自在に差し込み、例えば、くせ毛のような毛髪であっても容易に効率よく第１と第２の棒体で挟み込み、所望の高さまで持ち上げた位置に維持したままの状態で支えて立ち上げることができ、立ち上がった毛髪を広範囲にわたってカットすることができ、整髪を効率よく適切に行うことができる。
【００２９】
特に、請求項３記載の整髪用毛髪立ち上げ櫛は、第１と第２のフォークを平行に可動させる部分にバネが組み込まれて、第１と第２の取手を接近させる時にバネが圧縮され、第１と第２の取手を離間させる時にバネが開放されることで、第１と第２の棒体の隙間を調整しながら毛髪が挟み込まれて持ち上げられるので、鋏を使うようにして過度の力をかけることなく毛髪を挟み込んだり、力を解放して毛髪を容易に挟み込みから開放させることができ、毛髪に傷を付けることなく、整髪を効率よく行うことができる。
【００３０】
また、請求項４記載の整髪用毛髪立ち上げ櫛は、第１と第２の棒体が重ね合わされて形成された第１と第２のフォークの先端が丸みを有する鋭角体に形成されているので、第１と第２のフォークを毛髪にスムースに差し込むことができると同時に、頭皮に沿って安全且つ容易に挿入させることができる。
【００３１】
また、請求項５記載の整髪用毛髪立ち上げ櫛は、第１と第２の取手が第１と第２の支持体に着脱可能であり、整髪する頭の部位によって使い分けができるように、第１と第２のフォークに対して水平、又は角度を有する第１と第２の取手を備えているので、整髪用毛髪立ち上げ櫛を頭の部位によって使い分けることができ、整髪を効率よく行うことができる。
【００３２】
更に、請求項６記載の整髪用毛髪立ち上げ櫛は、第１と第２の取手のそれぞれの把持部がリング状に形成されているので、あらゆる部位においても安定して第１と第２の取手を把持することができ、整髪を正確且つ効率よく行うことができる。
【図面の簡単な説明】
【図１】（Ａ）〜（Ｃ）はそれぞれ本発明の一実施の形態に係る整髪用毛髪立ち上げ櫛の平面図、正面図、側面図である。
【図２】（Ａ）〜（Ｃ）はそれぞれ同整髪用毛髪立ち上げ櫛の第１のフォークの平面図、正面図、側面図である。
【図３】（Ａ）〜（Ｃ）はそれぞれ同整髪用毛髪立ち上げ櫛の第２のフォークの平面図、正面図、側面図である。
【図４】（Ａ）〜（Ｃ）はそれぞれ本発明の他の実施の形態に係る整髪用毛髪立ち上げ櫛の平面図、正面図、側面図である。
【図５】（Ａ）〜（Ｃ）はそれぞれ同整髪用毛髪立ち上げ櫛の第２のフォークの平面図、正面図、側面図である。
【符号の説明】
１０、１０ａ：整髪用毛髪立ち上げ櫛、１１：第１のフォーク、１２、１２ａ：第２のフォーク、１３：第１の棒体、１４：第１の支持体、１５、１５ａ：第２の棒体、１６：第２の支持体、１７、１７ａ：第１の取手、１８、１８ａ：第２の取手、１９：凸凹部、２０：空間部、２１：バネ、２２：鋭角体、２３：ロックピン、２４：プランジャー
【図１】
2004195112.tif 000003
【図２】
2004195112.tif 000004
【図３】
2004195112.tif 000005
【図４】
2004195112.tif 000006
【図５】
2004195112.tif 000007